(57)【要約】      （修正有）【課題】人差し指を適当に保持して折れや挫傷などのけがを防ぎ、使用者に捕球動作を、すばやく、着実に行わせることができる野球用グローブを提供する。【解決手段】その表面で捕球をする捕球層３１と、その裏面が該捕球層の裏面と対向して使用者の手の甲を覆って保護する甲部層３２とからなり、前記甲部層に使用者がその人差し指を出すことができる穿孔３２１が形成されている野球用グローブ３において、前記甲部層の表面には、保持リブ３２２が、前記穿孔から出した人差し指の両側から滑りを止めることができるように該表面に突設されていることを特徴とする野球用グローブを提供する。【選択図】図１
0003129993.tif 000002
【実用新案登録請求の範囲】
【請求項１】
その表面で捕球をする捕球層と、その裏面が該捕球層の裏面と対向して使用者の手の甲を覆って保護する甲部層とからなり、前記甲部層に使用者がその人差し指を出すことができる穿孔が形成されている野球用グローブにおいて、
前記甲部層の表面には、保持リブが、前記穿孔から出した人差し指の両側から滑りを止めることができるように、該表面に突設されていることを特徴とする野球用グローブ。
【請求項２】
前記保持リブの突起は、少なくとも、前記甲部層の表面に出した、人差し指の根元近傍の両側に形成されていることを特徴とする、請求項１に記載の野球用グローブ。
【請求項３】
前記保持リブの突起は、出した人差し指を、指先から根元近傍まで取り囲める略逆Ｕ字状の第２の突起を少なくとも含むことを特徴とする、請求項２に記載の野球用グローブ。
【請求項４】
前記保持リブは、出した人差し指の根元の両側に形成された一対の第１の突起と、出した人差し指の指先から分岐して、それぞれ前記一対の第１の突起の一つの近傍まで延びる略逆Ｕ字状の第２の突起を少なくとも含むことを特徴とする、請求項２に記載の野球用グローブ。
【請求項５】
前記保持リブは、更に、出した人差し指の根元の下方を通るように前記一対の第１の突起の間に延在している第３の突起をさらに含むことを特徴とする、請求項４に記載の野球用グローブ。
【請求項６】
前記甲部層の表面には、また、他の補強リブが形成してあることを特徴とする請求項１〜５のいずか一項に記載の野球用グローブ。
【請求項７】
前記他の補強リブは、前記甲部層表面の、使用者の親指近傍から人差し指近傍まで略台形状に互いに平行に３個所設けられていることを特徴とする、請求項６に記載の野球用グローブ。
【請求項８】
前記他の補強リブは、更に、前記甲部層表面の、使用者の手首近傍に人差し指の側から小指の側へと略楕円状に互いに平行に３個所設けられていることを特徴とする、請求項７に記載側の野球用グローブ。
【考案の詳細な説明】
【技術分野】
【０００１】
本考案は、野球で捕球をするために使用される野球用グローブに関する。
【背景技術】
【０００２】
従来の野球用グローブは、五指型であれ、親指以外の４指が一体になった二指型であれ、通常は、図４に示すように、その表面で捕球をする捕球層１１と、その裏面が該捕球層１１の裏面と対向して使用者の手の甲を覆って保護する甲部層１２とからなっている。
【０００３】
また、グローブをコントロールしやすいように、つまりグローブを閉じて捕球をし易いように、甲部層１２に使用者がその人差し指を出すことができる穿孔１２１が形成されている。このようにして、人差し指にかかるボールからの衝撃を緩和することもできる。
【０００４】
ところが、人差し指をこの穿孔１２１から出すと、手の動作の自由度は向上するが、出した人差し指が不意な挫傷を受けがちになる問題点もある。
【考案の開示】
【考案が解決しようとする課題】
【０００５】
本考案は、前記問題点に鑑みてなされたものであり、即ち、人差し指を適当に保持して挫傷などのけがを防ぎ、使用者に捕球動作を、すばやく、着実に行わせることができる野球用グローブを提供することを目的とする。
【課題を解決するための手段】
【０００６】
前記目的を達成するために、本考案は、表面で捕球をする捕球層と、その裏面が該捕球層の裏面と対向して、使用者の手の甲を覆って保護する甲部層とからなり、前記甲部層に、使用者がその人差し指を出すことができる穿孔が形成されている野球用グローブにおいて、前記甲部層の表面には、保持リブが、前記穿孔から出した人差し指を両側から滑りを止めることができるように該表面に突設されていることを特徴とする野球用グローブを提供する。
【考案の効果】
【０００７】
前記構成による野球用グローブでは、出した人差し指の両側から滑りを止める保持リブが設けられているため、当該指をけがから守って、使用者に捕球動作を、すばやく、着実に行わせることができる。
【考案を実施するための最良の形態】
【０００８】
以下、五指型だけを例として本考案の野球用グローブの実施形態を説明する。
まず、第１実施形態を説明する。
図１は、この実施形態の野球用グローブの甲部層側から見た斜視図である。図示のように、第１実施形態の野球用グローブ３は、皮革で構成されているものであり、その表面で捕球をする捕球層３１と、その裏面が該捕球層３１の裏面と対向して使用者の手の甲を覆って保護する甲部層３２とからなっている。
【０００９】
また、グローブ３をコントロールしやすいように、つまりグローブ３を閉じて捕球をし易いように、甲部層３２に使用者がその人差し指４１を出すことができる穿孔３２１が形成されている。
【００１０】
更に、甲部層３２の表面には、保持リブ３２２が、エンボス加工により穿孔３２１から出した人差し指４１を両側から滑りを止めることができるように甲部層３２自体の表面に突起が設けられている。
【００１１】
この実施形態において、保持リブ３２２は、一対の第１の突起３２２ａ、３２２ａと、第２の突起３２２ｂと、第３の突起３２２ｃとを有する。
【００１２】
一対の第１の突起３２２ａ、３２２ａは、穿孔３２１の左右両側に対立しており、出した人差し指４１の根元を両側から挟めるようになっている。
【００１３】
第２の突起３２２ｂは、一対の第１の突起３２２ａ、３２２ａと同じように、出した人差し指の根元近傍の両側に形成されているが、出した人差し指の指先から分岐してそれぞれ前記一対の第１の突起３２２ａ、３２２ａの一つの近くにまで延びる略逆Ｕ字状になっている。
【００１４】
第３の突起３２２ｃは、出した人差し指４１の根元の下方を通るように前記一対の第１の突起３２２ａ、３２２ａの間に延在している。
【００１５】
更に、甲部層３２の、前記保持リブ３２２は、いずれも、その周縁に沿って縫われ、形が固定されている（図１における点線で示す縫い目３２３参照）。縫い方により、例えば保持リブ３２２の周縁に沿いながら、縫い糸が該周縁の両側を跨っている縫い目になれば、保持リブ３２２の形の固定だけでなく、構造の強化をも達成することができる。
【００１６】
次に、本考案にかかる第２実施形態の野球用グローブを説明する。
図２は、本考案にかかる第２実施形態の野球用グローブの甲部層側から見た斜視図である。図３は、図２の野球用グローブの側面から見た側面図である。
【００１７】
前記図面に示すように、第２実施形態の野球用グローブ３Ａの構成は、ほぼ第１実施形態のものと同じだが、その相違点は、甲部層３２Ａの表面には、他の複数の補強リブ３２４が形成してあることにある。複数の補強リブ３２４は、それぞれ甲部層３２Ａ表面の、使用者の手首近傍に、人差し指の側から小指の側へと略楕円状に互いに平行に３個所設けられている（図２参照）。また、甲部層３２Ａ表面の、使用者の親指近傍から人差し指近傍まで、略台形状に互いに平行に３個所設けられている（図３参照）。
【００１８】
なお、甲部層３２の、前記のような補強リブ３２４は、前記保持リブ３２２と同じように、固定及び強化を図るために、いずれも、その周縁に沿って縫われている（図２、図３における点線で示す縫い目３２５参照）。
【００１９】
以上、本考案は前述実施形態に限定されるものではなく、本考案の要旨を逸脱しない範囲において種々の変形が可能である。例えば、保持リブと補強リブの本数、位置、形状など、または、二指型であれば、甲部層表面における、人差し指の対応部分に、保持リブが配置されても良い。
【産業上の利用可能性】
【００２０】
前記実施形態で詳細に説明したように、本考案の野球用グローブによれば、人差し指を適当に保持して折れや挫傷などのけがを防ぎ、使用者に捕球動作を、すばやく、着実に行わせることができる。
【図面の簡単な説明】
【００２１】
【図１】本考案にかかる第１実施形態の野球用グローブの甲部層側から見た斜視図。
【図２】本考案にかかる第２実施形態の野球用グローブの甲部層側から見た斜視図。
【図３】図２の野球用グローブの側面から見た側面図。
【図４】従来の野球用グローブの一例の甲部層側から見た斜視図。
【符号の説明】
【００２２】
３、３Ａ          グローブ
３１              捕球層
３２、３２Ａ      甲部層
３２１            穿孔
３２２            保持リブ
３２２ａ          第１の突起
３２２ｂ          第２の突起
３２２ｃ          第３の突起
３２３、３２５    縫い目
３２４            補強リブ
４１              人差し指
【図１】
0003129993.tif 000003
【図２】
0003129993.tif 000004
【図３】
0003129993.tif 000005
【図４】
0003129993.tif 000006